(57)【要約】【課題】パットの取替えができる経済性に富むパンツを提供する。【解決手段】パンツの内部に前上縁部から股下部、更に後上縁部にかけて支持体８を取り付ける。【選択図】図１
2012197525.tif 000002
【特許請求の範囲】
【請求項１】
上部に胴回り開口と、その下部に一対の脚周り開口が画成されているパンツであって、
前記パンツの内部には、前上縁部から股下部、更に後上縁部にかけて、パット用の支持体を取り付けることを特徴とするパンツ。
【請求項２】
請求項１のパンツであって、
支持体の両側部に伸縮性を有する弾性帯を取り付けることを特徴とするパンツ。
【請求項３】
請求項１又は請求項２のパンツであって、
支持体のほぼ中央とその下に該当するパンツとの間に結合体で結合してあることを特徴とするパンツ。
【請求項４】
請求項１から請求項３のいずれか１項のパンツであって、
前上縁部と後上縁部にパットの両端を挟着ずる装着体を設けることを特徴とするパンツ。
【請求項５】
請求項１から請求項４のいずれか１項のパンツであって、
支持体をパンツに触れない状態で取り付けることを特徴とするパンツ。
【発明の詳細な説明】
【技術分野】
【０００１】
本願発明は、パンツに関し、特にパットの取替えに関する。
【背景技術】
【０００２】
従来、下着として、パンツ(トランクス、ブリーフ等)を装着している。そして、排尿する場合には、パンツを脱いだ状態で行う。
しかし、老人になると、パンツを脱がずに、所謂、尿漏れをすることが多くなり、かかる人には、例えば、特開２００２−１３００１号公報に開示のトランクス型使い捨てパンツを使用している。
【先行技術文献】
【特許文献】
【０００３】
【特許文献１】特開２００２−１３００１号公報
【発明の概要】
【発明が解決しようとする課題】
【０００４】
前記トランクス型使い捨てパンツは、使用後に廃棄するので、経済的な課題が生ずる。
そこで、本願は、簡便な構成で、パットの取替えができる経済性に富むパンツを提供するものである。
【課題を解決するための手段】
【０００５】
請求項１のパンツは、上部に胴回り開口と、その下部に一対の脚周り開口が画成されていて、前記パンツの内部には、前上縁部から股下部、更に後上縁部にかけてパット用の支持体を取り付けてある。
また、請求項２のパンツは、支持体の両側部に伸縮性を有する弾性帯が取り付けてある。
また、請求項３のパンツは、支持体のほぼ中央とその下に該当するパンツとの間に結合体で結合してある。
また、請求項４のパンツは、前上縁部と後上縁部にパットの両端を挟着ずる装着体が設けてある。
また、請求項５のンツは、支持体をパンツに触れない状態で取り付ける。
【発明の効果】
【０００６】
本願のパンツは、容易にパットの取替えができると共に、弾性帯により、肌にフィットして、はき心地がよい。
【図面の簡単な説明】
【０００７】
【図１】（Ａ）はパンツの斜視図、(Ｂ)はパットの図である。
【図２】(Ａ)は図１(Ａ)のパンツを破断した状態図、（Ｂ）はパンツ内の支持体にパットを装着したパンツの破断した状態図である。
【発明を実施するための形態】
【０００８】
本発明について、図面を参照して説明する。図１（Ａ）は本願発明のパンツ(トランクス型)１の斜視図、図１(Ｂ)はパット１５である。また、図２(Ａ)は図１(Ａ)のパンツ１を破断した状態図、図２(Ｂ)はパンツ１内の支持体８にパット１５を装着したパンツの破断した状態図である。
【０００９】
パンツ１は一対の側身頃２で構成してある。尚、前記一対の側身頃２の間に、中央身頃を介して構成してもよい。
また、パンツ１には、上部に胴回り開口３と、その下部に一対の脚周り開口５が画成されている。前記胴回り開口３の縁部には、弾性伸縮性を有する弾性帯４が取り付けられている。
【００１０】
前記パンツ１の内部には、前上縁部から股下部、更に後上縁部にかけて、例えば、網状の支持体８が、後述するパット１５を収納載置できる幅で両端が少し立っているＵ字状に形成して取り付けてある。尚、支持体８の平面形状はパットを包み込み可能なパットと同じ形状であるのが望ましい。また、支持体８が網であるときには、その形状が自在となり、弾性帯９により、より体にフィットするので、より望ましいが、かかる機能を備える薄い布等で構成してもよい。
また、支持体８は、はき心地から、パンツ１に接触しない状態で取り付けるのが望ましい。
【００１１】
また、その支持体８の両側部には、後述するパット１５がずれないように、パット１５を包み込んでしっかり動かないようにする弾性を有する弾性帯９が取り付けてあるし、パンツをはいたとき、支持体８が身体からずれないように、支持体８のほぼ中央とその下に該当するパンツの股下部との間に結合体(糸等)３０で結合してある。
また、前記パンツ１の前上縁部と後上縁部には、前記支持体８の上に、長方形状の裏面にマジックテープ(登録商標)を備える装着体の片端部が取り付けてあり、後述するパット１５を、前記装着体１０を介して、支持体８との間で挟着して、取り付け、取り外しが可能である。
【００１２】
また、装着体１０の裏面に対応するパンツ１側にもマジックテープ(登録商標) の装着体１０が取り付けてあると、パット１５の両面で挟着でき、より前後のずれを防止できる。従って、この装着体１０は、パット１５の表面側、裏面側の少なくとも一方で挟着するように、適宜選択して構成する。しかし、パット１５を包み込んでしっかり動かないようにする弾性を有する弾性帯９が取り付けてあるので、たとえ、排尿による重みによって前後に動くことが無い場合には、必ずしも、前記装着体１０は必要ではない。
【００１３】
パット１５は、よく知られたもので、股ずれ防止のために、中央部が幅狭く形成されていて、排尿したとき吸収可能な吸着材で構成してある。尚、パット１５には種々の形状があり、前記支持体８の形状は使用するパット１５の形状に合わせるのが望ましい。
【００１４】
次に、前記パンツ１の使用方法について説明する。
先ず、新たなパット１５を支持体８に載置し、支持体８の両端に取り付けの弾性帯９で、パット１５がずれないように包み込む。そして、この支持体８を、パンツ１の前上縁部と後上縁部に形成の装着体１０で挟着すると、パット１５はパンツ１の内でハンモックのような状態になるが、結合体３０によって余り動かない。
【００１５】
そして、このパンツ１をはくと、パット１５は皮膚に密着して、たとえ、排尿によってパット１５が重くなった状態で歩いたとしても、パンツ内のパット１５は前記弾性帯９によって支持体８に対してずれないし、且つ、支持体８とパンツ１が結合体３０で結合してあるので、身体に対して支持体８がずれないので、快適にはくことができる。更に、パット１６を装着体１０で挟着することによって、更に、パット１５は前後に動くことが無く、快適にはくことができる。
【００１６】
次に、前記パット１５を取り替える場合には、パンツ内の装着体１０を外して、パット１５を取り出して廃棄し、その後、新たなパット１５を装着する。
このように、パンツは、簡便な操作によって、パット１５を取り替えることができ、パンツ１及び支持体８は洗濯して再利用可能である。
【００１７】
尚、前記パット１６の両端を挟着する結合体１０の有無、及び、片側の結合体１０だけでよいか、また、支持体の形状、更には他の部品等は、目的にあったパンツによって適宜選定する。また、前記トランクス型のパンツには、中央身頃が無い状態で構成してあるが、支持体８の取り付けに当たって中央身頃が介して構成してもよいし、パンツをトランクス型で説明したが、ブリーフ型にも適用できる。
【符号の説明】
【００１８】
１  パンツ
２  側身頃
８  支持体
９  弾性帯
１０  装着体
１５  パット
３０  結合体
【図１】
2012197525.tif 000003
【図２】
2012197525.tif 000004
【手続補正書】
【提出日】平成23年3月22日(2011.3.22)
【手続補正１】
【補正対象書類名】図面
【補正対象項目名】図２
【補正方法】変更
【補正の内容】
【図２】
2012197525.tif 000005